(57)【特許請求の範囲】
【請求項１】
断熱材を充填して一端を枢支軸で枢支された扉の前面にハンドルを配し、前記ハンドルを把持して前記扉を開閉する冷蔵庫において、前記扉の前面の端部に外側に向かって前記扉の厚みを薄くする傾斜面を設けるとともに前記ハンドルが前記傾斜面に取り付けられる一対の支持部材と前記支持部材により上下端を支持されるバー状の把持部とを備え、前記支持部材がネジを挿通する挿通孔を開口して前方から前記傾斜面にネジ止めされる取付部と、前記取付部の前記枢支軸側の端部から前方に延びる延出部と、前記延出部の前端から前記枢支軸と反対方向に屈曲する屈曲部と、前記屈曲部の前方に配して前記把持部を係止する係止部とを有することを特徴とする冷蔵庫。
【請求項２】
前記取付部、前記延出部及び前記屈曲部に連続して上下方向の端部から前記枢支軸と反対方向に突出する突出部を設けたことを特徴とする請求項１に記載の冷蔵庫。
【請求項３】
前記把持部の直径よりも前記支持部材の横幅が小さいことを特徴とする請求項１または請求項２に記載の冷蔵庫。
【請求項４】
断熱材を充填して一端を枢支軸で枢支された扉の前面にハンドルを配し、前記ハンドルを把持して前記扉を開閉する冷蔵庫において、前記扉の前面の端部に外側に向かって前記扉の厚みを薄くする傾斜面を設けるとともに前記ハンドルが前記傾斜面に取り付けられる一対の支持部材と前記支持部材により上下端を支持されるバー状の把持部とを備え、前記支持部材がネジを挿通する挿通孔を開口して前方から前記傾斜面にネジ止めされる取付部と、前記取付部の前記枢支軸側の端部から前方に延びる延出部と、前記延出部の前方に配して前記把持部を係止する係止部とを有し、
前記取付部と前記傾斜面との間に配されるスペーサと、上面または下面に形成した開口面に向けて開放された上下に延びる溝部を前面に有するとともに前記溝部を介して前記係止部を前方外側に配した状態で前記支持部材を収納する側面カバーと、前記開口面を覆う端面カバーとを備え、前記側面カバーが軸方向にスライドして前記スペーサに設けた弾性体の第１係合爪に係合するとともに、前記端面カバーが軸方向にスライドして前記スペーサに設けた弾性体の第２係合爪に係合することを特徴とする冷蔵庫。
【請求項５】
前記側面カバー及び第１係合爪の互いの係合面の少なくとも一方が軸方向に対して傾斜するとともに、前記端面カバー及び第２係合爪の互いの係合面が軸方向に対して垂直に形成されることを特徴とする請求項４に記載の冷蔵庫。
【発明の詳細な説明】
【技術分野】
【０００１】
本発明は、ハンドルを有する扉により貯蔵室の前面が開閉される冷蔵庫に関する。
【背景技術】
【０００２】
従来の冷蔵庫は特許文献１に開示されている。この冷蔵庫は貯蔵室の前面の開口面を覆う扉が一端に配した枢支軸で枢支され、扉の他端の前面には上下に延びるハンドルが設けられる。特許文献１の図１に開示されるハンドルは扉に取り付けられる一対の支持部が上下端に配され、使用者が把持する把持部が上下に延びて支持部と一体に形成される。これにより、ハンドルは扉の背面側から支持部をネジ止めして固定される。このため、ハンドルの取付け時の作業性が悪くなるとともに、扉に断熱材が充填されるとハンドルを取り外すことが困難になるため交換等のメンテナンス性が悪くなる。
【０００３】
一方、特許文献１の図５には扉の側面に外側から支持部をネジ止めした扉が開示される。これにより、ハンドルの取付けや取り外しを容易に行うことができ、製造時の作業性やメンテナンス性を向上することができる。
【先行技術文献】
【特許文献】
【０００４】
【特許文献１】特開２００５−３２６０５９号公報（第４頁−第５頁、第５図）
【発明の概要】
【発明が解決しようとする課題】
【０００５】
しかしながら、上記の後者の冷蔵庫によると、例えば、ハンドルが扉の左端に配されると、使用者は閉じた扉の把持部を右手で把持して前方に引いた後に右方向に回動させて扉が開かれる。この時、把持部には把持される際に左方向に力が加わる。支持部は扉の側面に沿って配されるため、把持部を把持するときの力が支持部を扉から離す方向に加わる。このため、支持部の弾性変形によって扉と支持部との間に隙間が形成され、ハンドルのがたつきが生じて操作性が悪い問題があった。
【０００６】
本発明は、ハンドルを容易に着脱できるとともに操作性を向上できる冷蔵庫を提供することを目的とする。
【課題を解決するための手段】
【０００７】
上記目的を達成するために本発明は、断熱材を充填して一端を枢支軸で枢支された扉の前面にハンドルを配し、前記ハンドルを把持して前記扉を開閉する冷蔵庫において、前記扉の前面の端部に外側に向かって前記扉の厚みを薄くする傾斜面を設けるとともに前記ハンドルが前記傾斜面に取り付けられる一対の支持部材と前記支持部材により上下端を支持されるバー状の把持部とを備え、前記支持部材がネジを挿通する挿通孔を開口して前方から前記傾斜面にネジ止めされる取付部と、前記取付部の前記枢支軸側の端部から前方に延びる延出部と、前記延出部の前方に配して前記把持部を係止する係止部とを有することを特徴としている。
【０００８】
この構成によると、バー状の把持部が支持部材の係止部に係止され、支持部材の取付部を扉の傾斜面に前方からネジ止めしてハンドルが取り付けられる。一端を枢支される扉はハンドルの把持部を把持して開かれる。支持部材は取付部の枢支軸側の端部から延出部が前方に延びるため、斜め前方から容易にネジ止めすることができる。また、取付部は傾斜面上に沿って配されるため水平方向に対して傾斜する。これにより、把持部を把持する際に水平方向に力が加わっても取付部に扉から離れる方向に加わる力が小さくなる。
【０００９】
また本発明は、上記構成の冷蔵庫において、前記延出部の前端から前記枢支軸と反対方向に屈曲する屈曲部を設けたことを特徴としている。この構成によると、支持部材は取付部の枢支軸側の端部から延出部が前方に延びて延出部の前端から枢支軸と反対方向に屈曲部が延び、平面視コ字状に形成される。これにより、支持部材の強度が向上される。
【００１０】
また本発明は、上記構成の冷蔵庫において、前記取付部、前記延出部及び前記屈曲部に連続して上下方向の端部から前記枢支軸と反対方向に突出する突出部を設けたことを特徴としている。
【００１１】
また本発明は、上記構成の冷蔵庫において、前記把持部の直径よりも前記支持部材の横幅が小さいことを特徴としている。この構成によると、前方から見て支持部材が把持部に隠れて配される。
【００１２】
また本発明は、上記構成の冷蔵庫において、前記取付部と前記傾斜面との間に配されるスペーサと、上面または下面に形成した開口面に向けて開放された上下に延びる溝部を前面に有するとともに前記溝部を介して前記係止部を前方外側に配した状態で前記支持部材を収納する側面カバーと、前記開口面を覆う端面カバーとを備え、前記側面カバーが軸方向にスライドして前記スペーサに設けた弾性体の第１係合爪に係合するとともに、前記端面カバーが軸方向にスライドして前記スペーサに設けた弾性体の第２係合爪に係合することを特徴としている。
【００１３】
この構成によると、スペーサを挟んで取付部が傾斜面にネジ止めされる。側面カバーは開口面を支持部材に向けてハンドルの軸方向にスライドされ、スペーサの第１係合爪に係合する。これにより、側面カバーが係止され、支持部材が側面カバー内に収納される。この時、把持部を係止する係止部は溝部を介して側面カバーの前方に配される。端面カバーはハンドルの軸方向にスライドされ、スペーサの第２係合爪に係合する。これにより、端面カバーが係止され、支持部材の開口面が覆われる。
【００１４】
また本発明は、上記構成の冷蔵庫において、前記側面カバー及び第１係合爪の互いの係合面の少なくとも一方が軸方向に対して傾斜するとともに、前記端面カバー及び第２係合爪の互いの係合面が軸方向に対して垂直に形成されることを特徴としている。
【００１５】
この構成によると、側面カバーを軸方向にスライドさせると側面カバーと第１係合爪との係合が解除される。これにより、支持部材を取り付けるネジを取り外すことができる。また、端面カバーと第２係合爪との互いの係合面が軸方向に垂直に形成されるため、端面カバーの脱落が防止される。
【発明の効果】
【００１６】
本発明によると、支持部材が扉の傾斜面にネジ止めされる取付部と、取付部の枢支軸側の端部から前方に延びる延出部と、バー状の把持部を係止する係止部とを有する。このため、斜め前方からのネジ止めによってハンドルを容易に取り付けることができるとともにネジを外してハンドルを容易に取り外すことができる。従って、製造時やメンテナンス時の作業性を向上することができる。また、把持部を把持する際に水平方向に力が加わっても取付部に扉から離れる方向に加わる力が小さくなる。このため、ハンドルのがたつきを防止し、冷蔵庫の操作性を向上することができる。
【図面の簡単な説明】
【００１７】
【図１】本発明の実施形態の冷蔵庫を示す正面図
【図２】本発明の実施形態の冷蔵庫を示す左側面図
【図３】本発明の実施形態の冷蔵庫を示す上面図
【図４】図３のＡ部詳細図
【図５】本発明の実施形態の冷蔵庫のハンドルの支持部材を示す側面図
【図６】本発明の実施形態の冷蔵庫のハンドルの支持部材を示す上面図
【図７】本発明の実施形態の冷蔵庫のハンドルの支持部材を示す正面図
【図８】本発明の実施形態の冷蔵庫のハンドルの把持部を示す背面図
【図９】本発明の実施形態の冷蔵庫のハンドルのスペーサを示す上面図
【図１０】本発明の実施形態の冷蔵庫のハンドルのスペーサを示す側面図
【図１１】本発明の実施形態の冷蔵庫のハンドルの側面カバーを示す正面図
【図１２】本発明の実施形態の冷蔵庫のハンドルの側面カバーを示す側面図
【図１３】本発明の実施形態の冷蔵庫のハンドルの側面カバーを示す上面図
【図１４】図１３のＢ矢視図
【図１５】図１３のＣ−Ｃ断面図
【図１６】本発明の実施形態の冷蔵庫のハンドルの端面カバーを示す上面図
【図１７】本発明の実施形態の冷蔵庫のハンドルの端面カバーを示す側面図
【図１８】図１６のＤ矢視図
【発明を実施するための形態】
【００１８】
以下に本発明の実施形態を図面を参照して説明する。図１は一実施形態の冷蔵庫を示す正面図である。冷蔵庫１は断熱箱体を有する本体部２（図２参照）に冷蔵室３及び冷凍室４が設けられる。冷蔵室３及び冷凍室４の前面はそれぞれ扉５、６により開閉される。扉５、６は上下方向の長さが異なるが同様の構造に形成される。以下の説明において、扉５について述べるが、扉６についても同様である。
【００１９】
図２、図３は冷蔵庫１の要部の左側面図及び上面図を示している。扉５は断熱材（不図示）を充填され、扉５の前面５ａにはガラス板（不図示）及びガラス板の周囲を保持する樹脂成形品の前面パネル５ｃ（図４参照）が配される。ガラス板によって扉５の前面を容易に清掃することができる。扉５の上面及び下面にはドアキャップ５ｄ（図４参照）が被嵌される。
【００２０】
扉５は右端を枢支軸７で枢支されて回動自在に配され、扉５の前面５ａの左端には外側に向かって扉５の厚みが薄くなるように傾斜する傾斜面５ｂが形成される。傾斜面５ｂ上には上下方向に延びるハンドル１０が設けられる。扉５の左端に枢支軸７を配してハンドル１０を右端に配してもよい。
【００２１】
図４は図３のＡ部詳細図を示している。ハンドル１０は支持部材１１、把持部１２（図２参照）、スペーサ１３、側面カバー１４（図２参照）、端面カバー１５及びキャップ１６を備えている。支持部材１１、スペーサ１３、側面カバー１４、端面カバー１５及びキャップ１６は一対設けられ、把持部１２の上下端に配される。
【００２２】
図５、図６、図７は上方の支持部材１１を示す側面図、上面図及び正面図である。下方の支持部材１１は上方の支持部材１１に対して上下方向に反転した形状に形成される。支持部材１１は金属板を折曲して形成され、取付部１１ａ、延出部１１ｃ、屈曲部１１ｄ、連結部１１ｅ、係止部１１ｆ及び突出部１１ｇを有している。
【００２３】
取付部１１ａは上下に並設される２つのネジ孔１１ｂを開口し、スペーサ１３を挟んで前面カバー５ｃ（図４参照）の傾斜面５ｂ上に配される。延出部１１ｃは取付部１１ａの枢支軸７（図３参照）側の端部から屈曲して前方に延びる。これにより、延出部１１ｃは傾斜面５ｂ（図４参照）に沿って配される取付部１１ａとの屈曲角度が鈍角に形成される。
【００２４】
屈曲部１１ｄは延出部１１ｃの前端から枢支軸７と反対方向に屈曲する。これにより、支持部材１１の後部の水平断面がコ字状に形成され、支持部材１１の強度を向上させることができる。連結部１１ｅは屈曲部１１ｄの前端から前方に延び、屈曲部１１ｄよりも上下方向に短く形成される。係止部１１ｆは連結部１１ｅと同一面内に形成され、連結部１１ｅよりも上下方向に長く形成される。
【００２５】
突出部１１ｇは取付部１１ａ、延出部１１ｃ及び屈曲部１１ｄに連続して上下端から枢支軸７と反対方向に屈曲する。これにより、支持部材１１の後部の垂直断面がコ字状に形成され、支持部材１１の強度をより向上させることができる。尚、突出部１１ｇを支持部材１１の上下の両端部に設けているが、上下端の一方に設けてもよい。
【００２６】
図８は把持部１２の背面図を示している。把持部１２は円形断面の金属パイプ等によって中空のバー状に形成される。把持部１２の上下端には上下方向に延びる溝部１２ａが形成される。溝部ａに支持部材１１の連結部１１ｅが挿通され、支持部材１１の係止部１１ｆの後端面によって把持部１２が係止される。また、把持部１２の上下端はキャップ１６（図２参照）により塞がれる。
【００２７】
把持部１２の直径は支持部材１１及び後述する側面カバー１４の横幅よりも大きく形成される。これにより、支持部材１１を収納する側面カバー１４が把持部１２の後方に隠れて冷蔵庫１の美観を向上することができる。
【００２８】
図９、図１０はスペーサ１３の平面図及び側面図を示している。スペーサ１３はジュラコン（登録商標）等の樹脂成形品により形成され、支持部材１１のネジ孔１１ｂに対応してネジ孔１３ａが設けられる。ネジ孔１３ａの周囲には支持部材１１のネジ孔１１ｂの内周縁に嵌合する凸部１３ｂが突設される。これにより、支持部材１１に対してスペーサ１３が所定位置に位置決めされる。
【００２９】
スペーサ１３の長手方向（ハンドル１０の軸方向）の両端部には幅方向に弾性変形可能な第１、第２係合爪１３ｃ、１３ｄが設けられる。第１、第２係合爪１３ｃ、１３ｄはそれぞれ後述する側面カバー１４及び端面カバー１５に係合する。第２係合爪１３ｄの端面カバー１５との係合面１３ｅはハンドル１０の軸方向に対して垂直に形成される。
【００３０】
図１１、図１２、図１３は上方の側面カバー１４の正面図、側面図、上面図を示している。また、図１４、図１５は図１３のＢ矢視図及びＣ−Ｃ断面図を示している。下方の側面カバー１４は上方の側面カバー１４に対して上下方向に反転した形状に形成される。上方の側面カバー１４は上面に開口面１４ａを有した箱状に形成され、支持部材１１の側面を覆って支持部材１１を収納する。
【００３１】
側面カバー１４の前面１４ｂは把持部１２（図８参照）に沿った円筒面に形成される。側面カバー１４の前面１４ｂには開口面１４ａに向けて開放された上下に延びる溝部１４ｄが形成される。溝部１４ｄに支持部材１１の連結部１１ｅ（図５参照）が挿通され、支持部材１１の係止部１１ｆ（図５参照）が側面カバー１４の前方に配される。この時、側面カバー１４の前面１４ｂと支持部材１１の係止部１１ｆとの間に把持部１２の周壁が挟持される。
【００３２】
側面カバー１４の背面１４ｃは傾斜して形成され、扉５の傾斜面５ｂ（図４参照）上に配される。側面カバー１４の背面１４ｃには開口面１４ａに向けて開放された上下に延びる溝部１４ｅが形成される。溝部１４ｅにはスペーサ１３が挿通され、溝部１４ｅの下部には段差によってスペーサ１３の第１係合爪１３ｃ（図９参照）が係合する係合面１４ｆが形成される。係合面１４ｆはハンドル１０の軸方向に対して傾斜する。
【００３３】
図１６、図１７は上方の端面カバー１５の上面図、側面図を示している。また、図１８は図１６のＤ矢視図を示している。下方の端面カバー１５は上方の端面カバー１５に対して上下方向に反転した形状に形成される。端面カバー１５は側面カバー１４の開口面１４ａ（図１２参照）に被嵌され、下面に突設した爪部１５ｄが支持部材１１の突設部１１ｇ（図６参照）に係合して係止される。
【００３４】
端面カバー１５の前面１５ｂは把持部１２（図８参照）に沿った円筒面に形成される。端面カバー１５の背面１５ｃは傾斜して形成され、扉５の傾斜面５ｂ（図４参照）上に配される。端面カバー１５の背面１５ｃには下方を開放した溝部１５ｅが形成される。溝部１５ｅにはスペーサ１３が挿通され、溝部１５ｅの上部には段差によってスペーサ１３の第２係合爪１３ｄ（図９参照）が係合する係合面１５ｆが形成される。係合面１５ｆはハンドル１０の軸方向に対して垂直に形成される。
【００３５】
上記構成のハンドル１０を取り付ける際に、まず上下の支持部材１１の連結部１１ｅが把持部１２の溝部１２ａに挿通され、把持部１２にキャップ１６が被嵌される。次に、支持部材１１の取付部１１ａに凸部１３ｂによってスペーサ１３が位置決めして保持される。
【００３６】
次に、支持部材１１の取付部１１ａ及びスペーサ１３のネジ孔１１ｂ、１３ａに挿通したネジ１７を前面カバー５ｃの背後に配した金属板（不図示）にネジ止めする。これにより、支持部材１１が扉５の傾斜面５ｂに取り付けられる。この時、支持部材１１の取付部１１ａと延出部１１ｃとの屈曲角度が鈍角に形成されるため、ネジ１７を斜め前方から容易にネジ止めすることができる。
【００３７】
次に、扉５と把持部１２との間に配した側面カバー１４を扉５に沿ってハンドル１０の軸方向にスライド移動させる。これにより、側面カバー１４の溝部１４ｅにスペーサ１３が挿入される。側面カバー１４の係合面１４ｆがスペーサ１３の第１係合爪１３ｃに係合すると側面カバー１４が係止され、支持部材１１が側面カバー１４内に収納される。
【００３８】
次に、端面カバー１５を扉５に沿ってハンドル１０の軸方向にスライド移動させる。これにより、端面カバー１５の溝部１５ｅにスペーサ１３が挿入される。端面カバー１５の爪部１５ｄが支持部材１１の突設部１１ｇに係合して係合面１５ｆがスペーサ１３の第２係合爪１３ｄに係合すると、端面カバー１５が開口面１４ａを塞いで係止される。これにより、ハンドル１０を前方からのネジ止めによって容易に扉５に取り付けることができる。
【００３９】
この時、側面カバー１４の係合面１４ｆは軸方向に対して傾斜して形成されるため、側面カバー１４を軸方向にスライドさせると係合面１４ｆと第１係合爪１３ｃとの係合が解除される。これにより、側面カバー１４を脱着してネジ１７を外し、ハンドル１０を容易に交換することができる。
【００４０】
また、端面カバー１５の係合面１５ｆ及び第２係合爪１３ｄの係合面１３ｅは軸方向に垂直に形成されるため、端面カバー１５のみを取り外せない。従って、端面カバー１５の脱落を防止することができる。
【００４１】
上記構成の冷蔵庫１において、使用者は閉じた扉３の左端に配されるハンドル１０の把持部１２を右手で把持して前方に引いた後、右方向に回動させて扉３が開かれる。この時、把持部１２には把持される際に左方向に力が加わる。支持部材１１の取付部１１ａは傾斜面５ｂ上に沿って配されるため水平方向に対して傾斜する。このため、把持部１２を把持する際に水平方向に力が加わっても取付部１１ａに扉５から離れる方向（傾斜面５ｂの法線方向）に加わる力が小さい。従って、取付部１１ａの弾性変形による扉５との隙間の発生を防止してハンドル１０のがたつきを防止し、冷蔵庫１の操作性を向上することができる。
【００４２】
本実施形態によると、支持部材１１が扉５の傾斜面５ｂにネジ止めされる取付部１１ａと、取付部１１ａの枢支軸７側の端部から前方に延びる延出部１１ｃと、バー状の把持部１２を係止する係止部１１ｆとを有する。このため、斜め前方からのネジ止めによってハンドル１０を容易に取り付けることができるとともにネジ１７を外してハンドル１０を容易に取り外すことができる。従って、製造時やメンテナンス時の作業性を向上することができる。
【００４３】
また、把持部１２を把持する際に水平方向に力が加わっても取付部１１ａに扉５から離れる方向に加わる力が小さくなる。このため、取付部１１ａの弾性変形による扉５との隙間の発生を防止してハンドル１０のがたつきを防止し、冷蔵庫１の操作性を向上することができる。
【００４４】
また、延出部１１ｃの前端から枢支軸７と反対方向に屈曲する屈曲部１１ｄを設けたので、支持部材１１の水平断面がコ字状に形成される。従って、支持部材１１の強度を向上させることができ、取付部１１ａと扉５との隙間の発生をより確実に防止することができる。
【００４５】
また、取付部１１ａ、延出部１１ｃ及び屈曲部１１ｄに連続して上下方向の端部から枢支軸７と反対方向に突出する突出部１１ｇを設けたので、支持部材１１の垂直断面がコ字状に形成される。従って、支持部材１１の強度をより向上させることができる。
【００４６】
また、把持部１２の直径よりも支持部材１１の横幅を小さくしたので、支持部材１１が把持部１２の後方に隠れて冷蔵庫１の美観を向上することができる。
【００４７】
また、取付部１１ａと傾斜面５ｂとの間に配されるスペーサ１３に設けた第１、第２係合爪２３ｃ、１３ｄに側面カバー１４及び端面カバー１５が軸方向のスライドにより係合するので、支持部材１１をネジ止めした後に支持部材１１を側面カバー１４及び端面カバー１５により覆って美装することができる。従って、ハンドル１０の取り付け時の作業性を向上することができる。
【００４８】
また、側面カバー１４の第１係合爪１３ｃとの係合面１４ｆが軸方向に対して傾斜するので、側面カバー１４を容易に取り外してハンドル１０の取り替えを容易に行うことができる。この時、第１係合爪１３ｃ及び側面カバー１４の互いの係合面の両方を軸方向に対して傾斜して形成してもよく、第１係合爪１３ｃの係合面のみを軸方向に対して傾斜して形成してもよい。また、端面カバー１５及び第２係合爪１３ｄの互いの係合面１５ｆ、１３ｅが軸方向に対して垂直に形成されるので、端面カバー１５のみを取り外せない。従って、端面カバー１５の脱落を防止することができる。
【産業上の利用可能性】
【００４９】
本発明によると、ハンドルを有する扉により貯蔵室の前面が開閉される冷蔵庫に利用することができる。
【符号の説明】
【００５０】
１    冷蔵庫
２    本体部
３    冷蔵室
４    冷凍室
５、６  扉
５ｂ  傾斜面
７    枢支軸
１０    ハンドル
１１    支持部材
１１ａ  取付部
１１ｃ  延出部
１１ｄ  屈曲部
１１ｅ  連結部
１１ｆ  係止部
１１ｇ  突出部
１２    把持部
１２ａ  溝部
１３    スペーサ
１３ｂ  凸部
１３ｃ  第１係合爪
１３ｄ  第２係合爪
１３ｅ  係合面
１４    側面カバー
１４ａ  開口面
１４ｄ、１４ｅ  溝部
１４ｆ  係合面
１５    端面カバー
１５ｅ  溝部
１５ｆ  係合面
【図１】
0005856455.tif 000002
【図２】
0005856455.tif 000003
【図３】
0005856455.tif 000004
【図４】
0005856455.tif 000005
【図５】
0005856455.tif 000006
【図６】
0005856455.tif 000007
【図７】
0005856455.tif 000008
【図８】
0005856455.tif 000009
【図９】
0005856455.tif 000010
【図１０】
0005856455.tif 000011
【図１１】
0005856455.tif 000012
【図１２】
0005856455.tif 000013
【図１３】
0005856455.tif 000014
【図１４】
0005856455.tif 000015
【図１５】
0005856455.tif 000016
【図１６】
0005856455.tif 000017
【図１７】
0005856455.tif 000018
【図１８】
0005856455.tif 000019